(57)【要約】【課題】  異種の液体を収納した二つの注射器状の円筒状容器を連結部材で連結し、二つの円筒状容器の注出筒に混合噴霧するノズル部材を取付け、二種の液体を一定割合に混合して噴霧できるようにした小型の二液混合噴霧器を提供すること。【解決手段】  頂壁に注出筒を立設した二つの円筒容器と、各円筒容器に嵌挿されるピストン体と作動杆とからなるピストン部材と、円筒容器を連結する容器連結部材と作動杵の端部を連結するピストン連結部材とからなる連結部材と、二つの注出筒に嵌挿される取付筒部を設けた連結筒と二液を混合噴霧するノズル本体を具えたノズル部材とを備えていることを特徴とする。【選択図】  図１
2006150229.tif 000002
【特許請求の範囲】
【請求項１】
頂壁に注出筒を立設した二つの円筒容器と、各円筒容器に嵌挿されるピストン体と作動杆とからなるピストン部材と、円筒容器を連結する容器連結部材と作動杵の端部を連結するピストン連結部材とからなる連結部材と、二つの注出筒に嵌挿される取付筒部を設けた連結筒と二液を混合噴霧するノズル本体を具えたノズル部材とを備えていることを特徴とする二液混合噴霧器。
【請求項２】
容器連結部材に指かけ部が設けられ、指かけ部とピストン連結部材とを手指で把持して押圧操作することにより、二つのピストン部材が同時に押圧されるようにしたことを特徴とする請求項１記載の二液混合噴霧器。
【請求項３】
二つの円筒容器の直径に応じて、内容液を一定割合で混合させるようにしたことを特徴とする請求項１〜２記載の二液混合噴霧器。
【請求項４】
ノズル部材の内部に二液の混合流路が設けられていることを特徴とする請求項１〜２記載の二液混合噴霧器。
【発明の詳細な説明】
【技術分野】
【０００１】
本発明は、二液混合噴霧器、とくに二液を一定割合で混合噴霧するようにした混合噴霧器に関するものである。
【背景技術】
【０００２】
噴霧器として、二種の液体を混合させて噴霧するようにしたトリガー式噴霧器は、従来より知られている（例えば、特許文献１参照）。
特許文献１記載のトリガー式噴霧器は、混合液を噴霧するものであるが、トリガー式噴霧器として、狭い範囲に噴霧できないという問題があった。
【特許文献１】特開平１０−１６５８５４号公報
【発明の開示】
【発明が解決しようとする課題】
【０００３】
本発明は、上記問題を解決することを課題として、異種の液体を収納した二つの注射器状の円筒状容器を連結部材で連結し、二つの円筒状容器の注出筒に混合噴霧するノズル部材を取付け、二種の液体を一定割合に混合して噴霧できるようにした小型の二液混合噴霧器を提供することを目的とする。
【課題を解決するための手段】
【０００４】
本発明は、上記課題を解決するために、二液混合噴霧器として、頂壁に注出筒を立設した二つの円筒容器と、各円筒容器に嵌挿されるピストン体と作動杆とからなるピストン部材と、円筒容器を連結する容器連結部材と作動杵の端部を連結するピストン連結部材とからなる連結部材と、二つの注出筒に嵌挿される取付筒部を設けた連結筒と二液を混合噴霧するノズル本体を具えたノズル部材とを備えていることを特徴とする構成を採用する。
【０００５】
ピストン部材の押圧操作のため連結部材の実施例として、容器連結部材に指かけ部が設けられ、指かけ部とピストン連結部材とを手指で把持して押圧操作することにより、二つのピストン部材が同時に押圧されるようにしたことを特徴とする構成を採用する。
【０００６】
内容液の混合比を変えるため円筒容器の実施例として、二つの円筒容器の直径に応じて、内容液を一定割合で混合させるようにしたことを特徴とする構成を採用する。
【０００７】
ノズル部材の実施例として、ノズル部材の内部に二液の混合流路が設けられていることを特徴とする構成を採用する。
【発明の効果】
【０００８】
本発明は、二つの円筒容器を連結部材により連結し、二つの円筒容器の注出筒にノズル部材を取着しているので、二つの円筒容器に収納した内容液を混合して噴霧できるようになった。
【０００９】
さらに、円筒容器の直径を変えることによって、内容液の注出量を一定割合に配分して、混合噴霧できるようになった。
また、ノズル部材の内部に二液を混合させる流路を設けることによって、均一に噴霧できるようになった。
【発明を実施するための最良の形態】
【００１０】
次に、本発明の二液混合噴霧器について、実施例をあげて説明する。
【実施例１】
【００１１】
図１、２において、Ａ１、Ａ２は円筒容器、Ｂ１、Ｂ２はピストン部材、Ｃは二つの円筒容器Ａ１、Ａ２を連結する連結部材、Ｄはノズル部材である。
【００１２】
円筒容器は、図１、２に示すように、直径の異なる大径の円筒容器Ａ１と、小径の円筒容器Ａ２とからなり、それぞれ筒壁１ａ、１ｂと、中央を頂点とした山形の頂壁２ａ、２ｂとを具えている。
【００１３】
それぞれの頂壁２ａ、２ｂには、注出筒３ａ、３ｂが立設されており、注出筒３ａ、３ｂには、注出路４ａ、４ｂが穿孔されている。
注出筒３ａ、３ｂ外周の所定の位置には、ノズル部材Ｄを取着するための膨出環５ａ、５ｂが設けられている。  
【００１４】
それぞれの筒壁１ａ、１ｂの外周には、連結部材Ｃを係止するために、所定の位置に傾斜面６ａ、６ｂを具えた係止突部７ａ、７ｂが突設され、開口側端部には係止突条８ａ、８ｂが設けられている。
【００１５】
ピストン部材Ｂ１、Ｂ２は、図１、２に示すように、それぞれ円筒容器Ａ１、Ａ２に対応し、筒壁１ａ、１ｂ内を摺動するピストン体１０ａ、１０ｂと、該ピストン体１０ａ、１０ｂに連設された作動杆１１ａ、１１ｂとを具えている。
【００１６】
それぞれのピストン体１０ａ、１０ｂは、円筒容器Ａ１、Ａ２の頂壁２ａ、２ｂと同形の頂壁１２ａ、１２ｂとスカート状の摺動面１３ａ、１３ｂ、底壁１４ａ、１４ｂとを具えており、底壁１４ａ、１４ｂには、作動杆１１ａ、１１ｂの支持部１５ａ、１５ｂが設けられている。
【００１７】
作動杆１１ａ、１１ｂは、連杆１６ａ、１６ｂと、該連杆１６ａ、１６ｂに直交する連杆１７ａ、１７ｂとによって断面十字形に形成されている。
作動杆１１ａ、１１ｂの下端には、ピストンを押圧するための押し板１８ａ、１８ｂが連設されている。
【００１８】
連結部材Ｃは、図１〜３に示すように、円筒容器Ａ１と円筒容器Ａ２を連結する容器連結部材Ｃ１と、ピストン部材Ｂ１とＢ２を連結するピストン連結部材Ｃ２とからなり、帯状の連結帯Ｃ３を介して連設されている。
【００１９】
容器連結部材Ｃ１は、中央に指かけ孔２０を穿設した連結部２１と、その両端に円筒容器Ａ１とＡ２を挿入し、係止する係止筒２２ａ、２２ｂとを具えている。
連結部２１の下方部中央には、連結帯Ｃ３の上端部が連設されている。
係止筒２２ａ、２２ｂの外周の上端には、所定の位置に突片２３ａ、２３ｂが設けられている。
【００２０】
ピストン連結部材Ｃ２は、トラック楕円形の連結板２５を具えており、その両側には、ピストン部材Ｂ１、Ｂ２の押し板１８ａ、１８ｂが内周に嵌合する嵌合筒部２６ａ、２６ｂの上面に立設され、連結板２５の中央は、上方に湾曲した湾曲部２７となっている。
湾曲部２７の適当な位置には、連結帯Ｃ３の下端部が連設されている。
【００２１】
ノズル部材Ｄは、図１、４、５に示すように、連結筒３０と、該連結筒３０内に挿着される挿入ピン３１と、円筒容器Ａ１、Ａ２の注出筒３ａ、３ｂに取着される取付筒部３２ａ、３２ｂと、円形のノズル本体３３とを具備している。
【００２２】
連結筒３０は、筒壁３５と底壁３６と開口３７を具備しており、筒壁３５の外周両端には、取付筒部３２ａ、３２ｂが平行に連設され、取付筒部３２ａ、３２ｂの内周に沿って流路孔３８ａ、３８ｂが穿設されている。
筒壁３５の外周中央には、ノズル本体３３が所定の方向に連設されている。
【００２３】
挿入ピン３１は、周面４０と、連結筒３０の底壁３６の内方面に当接する底面４１を具備し、周面４０の底面４１の反対側端には、連結筒３０の開口３７の内周壁に挿着する突条４２が設けられている。
連結筒３０内に挿入ピン３１を装着した際、連結筒３０の筒壁３５内周と挿入ピン３１の周面４０との間隙には、流路４３が形成される。
【００２４】
取付筒部３２ａ、３２ｂのそれぞれの内周下端には、二つの円筒容器Ａ１、Ａ２の注出筒３ａ、３ｂの膨出環５ａ、５ｂと係合して、ノズル部材Ｄを位置決めするための凹部４５ａ、４５ｂと係止突条４６ａ、４６ｂが設けられている。
取付筒部３２ａ、３２ｂのそれぞれ流路孔３８ａ、３８ｂは、連結筒３０の流路４３に連通している。
【００２５】
ノズル本体３３は、頂壁５０と周面５１とを有している。
ノズル本体３３の中心部は、円柱部５２となっており、その周囲には、連結筒３０内の流路４３に連通する弧状のノズル流路５３が設けられている。
ノズル本体３３の先端部は、円形の環状孔５４となっており、該環状孔５４には、頂壁面５５と側周壁５６とからなるノズルチップ５７が嵌着されている。
【００２６】
ノズルチップ５７の頂壁面５５には、噴出口５８が穿孔され、頂壁面５５と円柱部５２の先端との間には、スピン溝５９が形成されている。
側周壁５６の内周面には、円柱部５２との間に環状流路６０が形成されている。
前記流路４３、ノズル流路５３、環状流路６０によって、二液の混合流路が構成されている。
【００２７】
次に、本発明の二液混合噴霧器の使用態様と、作用効果について説明する。
本発明の二液混合噴霧器は、薬剤、化粧料、その他の混合噴霧器として使用される。
【００２８】
まず、二液混合噴霧器の組立について述べると、大径、小径の円筒容器Ａ１、Ａ２の注出筒３ａ、３ｂに、仮蓋を被嵌するとともに、筒壁１ａ、１ｂ内のそれぞれに異なる内容液を収納し、ピストン部材Ｂ１、Ｂ２のピストン体１０ａ、１０ｂを筒壁１ａ、１ｂに嵌挿する。
かくして、それぞれ異なる内容液を所定量充填した円筒容器Ａ１、Ａ２が得られる。
【００２９】
図１、２に示すように、大径、小径の円筒容器Ａ１、Ａ２を注出筒３ａ、３ｂが互いに内方になるように正立させ、上方より、大径、小径の円筒容器Ａ１、Ａ２の筒壁１ａ、１ｂの外周を、連結部材Ｃの容器連結部材Ｃ１の係止筒２２ａ、２２ｂに挿入し、摺動させていく。
【００３０】
挿入が進むにつれ、係止筒２２ａ、２２ｂの下端が、筒壁１ａ、１ｂの係止突部７ａ、７ｂの傾斜面６ａ、６ｂを乗り越え、筒壁１ａ、１ｂの係止突条８ａ、８ｂに当接し、摺動が止まる。
その際、係止筒２２ａ、２２ｂの上端は、筒壁１ａ、１ｂの係止突部７ａ、７ｂに当接することにより、容器連結部材Ｃ１は、筒壁１ａ、１ｂの係止突部７ａ、７ｂと係止突条８ａ、８ｂとの間で係止される。
【００３１】
次に、ピストン部材Ｂ１、Ｂ２の押し板１８ａ、１８ｂを連結部材Ｃのピストン連結部材Ｃ２の嵌合筒部２６ａ、２６ｂ内周に嵌合させ、ピストン部材Ｂ１、Ｂ２をピストン連結部材Ｃ２により連結させる。
【００３２】
最後に、仮蓋を取外し、ノズル部材Ｄを容器本体Ａの注出筒３ａ、３ｂに取着する。
その際、注出筒３ａ、３ｂをノズル部材Ｄの取付筒部３２ａ、３２ｂに嵌挿し、注出筒３ａ、３ｂの膨出環５ａ、５ｂを凹部４５ａ、４５ｂに係合させ、膨出環５ａ、５ｂの下側に取付筒部３２ａ、３２ｂ下端の係止突条４６ａ、４６ｂを係合させることによって、注出筒３ａ、３ｂの上端と取付筒部３２ａ、３２ｂ内周の流路孔３８ａ、３８ｂとの間を、所定の間隔に位置決めして取着される。
これで、二つの円筒容器Ａ１、Ａ２とピストン部材Ｂ１、Ｂ２を、連結部材Ｃとノズル部材Ｄで連結した二液混合噴霧器が組み立てられる。
【００３３】
二液混合噴霧器の噴霧にあたっては、ノズル部材Ｄのノズル本体３３を所望する噴霧方向に向け、容器連結部材Ｃ１の指かけ孔２０とピストン連結部材Ｃ２を手指で把持し、押圧すると、それぞれの円筒容器Ａ１、Ａ２内の内容液は、注出筒３ａ、３ｂからノズル部材Ｄの取付筒部３２ａ、３２ｂ内に入り、流路孔３８ａ、３８ｂを通り、流路４３に入りある程度混合され、さらに、流路４３からノズル本体３３のノズル流路５３を通って、環状流路６０内に入り、混合され、スピン溝５９を通って、二液が完全に混合されて噴出口５８より噴霧される。
【００３４】
所望する噴霧が終わり、内容液が残っている場合には、ノズル部材Ｄを外し、仮蓋を被嵌して保存する。
【００３５】
ピストン部材Ｂ１、Ｂ２の押圧にあたって、ピストン部材Ｂ１、Ｂ２はピストン連結部材Ｃ２により連結され押圧されるので、双方のピストン部材が同時に作動し、常に円筒容器の径に対応する一定割合の内容液が混合して注出されることになる。
内容液がなくなったときには、まず、ノズル部材Ｄを外し、ピストン部材Ｂ１、Ｂ２とピストン連結部材Ｃ２との嵌合を外す。
【００３６】
次に、容器連結部材Ｃ１の係止筒２２ａ、２２ｂに設けられた突片２３ａ、２３ｂを外方に引張ることにより、係止筒２２ａ、２２ｂの上端と、大径、小径の円筒容器Ａ１、Ａ２の筒壁１ａ、１ｂに設けられた係止突部７ａ、７ｂとの係止が外れ、上方に摺動させて容器連結部材Ｃ１を外すことにより、簡単に、大径、小径の円筒容器Ａ１、Ａ２の連結を外すことができる。
このことで、新たに内容液を充填した大径、小径の円筒容器Ａ１、Ａ２を取り替えて使用することができる。
【００３７】
上記実施例では、容器本体を大径、小径の円筒体とししたが、同径の円筒体の場合は、二液の混合が１対１となり、その他の作用効果は同一であるで、二つの円筒体の径の関係は上記実施例には限定されない。
【実施例２】
【００３８】
次に、実施例１の連結部材の容器連結部材の形状を変更した第２実施例について説明する。
本実施例は、容器連結部材以外の構成は、実施例１と同様であるので、同じ符号を使って図示して説明を簡単にし、以下相違点を中心に説明する。
【００３９】
図７に示すように、連結部材Ｃａの容器連結部Ｃａ１は、連結部６５と、その両端に円筒容器Ａ１、Ａ２を挿入し、係止する係止筒６６ａ、６６ｂとを具えている。
係止筒６６ａ、６６ｂの外周下端には、それぞれ外側に延びる指かけ片６７ａ、６７ｂが設けられている。
【００４０】
本実施例では、二液混合噴霧器の噴霧の際、容器連結部材の指かけ片６７ａ、６７ｂとピストン連結部材を手指で把持し、押圧する。
本実施例の作用効果としては、二液混合噴霧器の噴霧の時に、手指を掛ける場所が変わるだけで、その他は実施例１と同じ作用効果を得ることができる。
【実施例３】
【００４１】
次に、実施例１の連結部材の容器連結部材に関して構成を変えた第３実施例について説明する。
本実施例は、容器連結部材以外の構成は、実施例１と同様であるので、同じ符号を使って図示して説明を簡単にし、以下相違点を中心に説明する。
【００４２】
図７、８に示すように、容器連結部材Ｃｂ１は、二枚の係合連結板７０ａ、７０ｂと、その両端に連設され、大径、小径の円筒容器Ａ１、Ａ２をそれぞれ係止する円弧状の係止帯７１ａ、７１ｂとを具備している。
【００４３】
係合連結板７０ａの中央には、指かけ孔７２が穿設され、その周縁の係合連結板７０ａの内面には、係合筒７３が垂設され、係合筒７３端部には、係合突条７４が突設されている。
係合連結板７０ａには、連結帯Ｃ３の上端部が連設されている。
【００４４】
係合連結板７０ｂの中央には、係合連結板７０ａの係合筒７３外周と係合する係合孔７５が穿設され、その周縁の係合連結板７０ｂの外方には、係合連結板７０ａの係合突条７４と係合する拡径部７６が刻設されている。
【００４５】
本実施例では、大径、小径の円筒容器Ａ１、Ａ２の注出筒３ａ、３ｂが互いに内方になるように正立させ、上方より、容器連結部材Ｃａ１の係止帯７１ａ、７１ｂの内方にそれぞれ挿入し、容器連結部材Ｃａ１の係合連結板７０ａと係合連結板７０ｂとを係合筒７３により係合させることで、係止帯７１ａおよび係止帯７１ｂが内方に縮径し、大径、小径の円筒容器Ａ１、Ａ２の所定の位置に係止される。
このことで、大径、小径の円筒容器Ａ１、Ａ２を容器連結部材Ｃｂ１により簡単に連結できる。
【００４６】
連結を外すときも、係合連結板７０ａと係合連結板７０ｂとの係合を外すことで、係止帯７１ａおよび係止帯７１ｂが拡径するので、簡単に連結を外すことができる。
【００４７】
また、係止帯７１ａ、７１ｂを収縮性のある軟材質で形成するときには、容器本体Ａの円筒容器Ａ１、Ａ２の径を変えても対応することができる。
また、円筒容器Ａ１、Ａ２の径にあわせてピストン部材Ｂ１、Ｂ２の径も変わるが、押し板１８ａ、１８ｂの径を統一し、それに伴いピストン連結部材Ｃ２の嵌合筒部２６ａ、２６ｂの内周の径を統一して形成すれば、いろいろな径の円筒容器を簡単に取り替えて使用できる二液混合噴霧器となる。
【００４８】
本発明は、ノズル部材として、単に噴霧するだけであるので、種々の噴霧ノズルが利用できるので、上記各実施例に示したものに限定されない。
【産業上の利用可能性】
【００４９】
本発明の混合噴霧器は、二つの円筒体を連設した容器本体内に収納した異種の内容物を一定割合で、混合、噴霧するようにでき、薬品、化粧品、その他内容液の二液混合噴霧に広く利用できる。
【図面の簡単な説明】
【００５０】
【図１】本発明の第１実施例の二液混合噴霧器の断面立面図である。
【図２】二液混合噴霧器の斜視図である。
【図３】連結部材の説明図で、（ａ）は立面図、（ｂ）は容器連結部材の上面図、（ｃ）は、ピストン連結部材の上面図である。
【図４】ノズル部材の断面立面図である。
【図５】ノズル部材の説明図で、（ａ）は上面図、（ｂ）は図４のＡ−Ａ線における横断面図、（ｃ）は図４のＢ−Ｂ線における横断面図、（ｄ）は底面図である。
【図６】第２実施例の断面立面図である。
【図７】第３実施例の二液混合噴霧器の斜視図である。
【図８】第３実施例の容器連結部材の説明図で、（ａ）は上面図、（ｂ）は立面図、（ｃ）は図（ｂ）のＡ−Ａ線における横断面図である。
【符号の説明】
【００５１】
Ａ１、Ａ２      円筒容器
Ｂ１、Ｂ２      ピストン部材
Ｃ              連結部材
Ｃ１、Ｃａ１、Ｃｂ１  容器連結部材
Ｃ２            ピストン連結部材
Ｃ３            連結帯
Ｄ              ノズル部材
ｅ              仮蓋
１ａ，ｂ 、３５  筒壁
２ａ，ｂ、１２ａ，ｂ、５０  頂壁
３ａ，ｂ        注出筒
４ａ，ｂ        注出路
５ａ，ｂ        膨出環
６ａ，ｂ        傾斜面
７ａ，ｂ        係止突部
８ａ，ｂ        係止突条
１０ａ，ｂ      ピストン体
１１ａ，ｂ      作動杆
１３ａ，ｂ      摺動面
１４ａ，ｂ      底壁
１５ａ，ｂ      支持部
１６ａ，ｂ、１７ａ，ｂ  連杆
１８ａ，ｂ      押し板
２０、７２      指かけ孔
２１、６５      連結部
２２ａ，ｂ、６６ａ，ｂ  係止筒
２３ａ，ｂ      突片
２５            連結筒
２６ａ，ｂ      嵌合筒部
２７            湾曲部
３０            連結筒
３１            挿入ピン
３２ａ，ｂ      取付筒部
３３            ノズル本体
３６            底壁
３７            開口
３８ａ，ｂ      流路孔
４０、５１      周面
４１            底面
４２            突条
４３            流路
４５ａ，ｂ      凹部
４６ａ，ｂ      係止突条
５２            円柱部
５３            ノズル流路
５４            環状孔
５５            頂壁面
５６            側周壁
５７            ノズルチップ
５８            噴出口
５９            スピン溝
６０            環状流路
６７ａ，ｂ      指かけ片
７０ａ，ｂ      係合連結板
７１ａ，ｂ      係止帯
７３            係合筒
７４            係合突条
７５            係合孔
７６            拡径部
【図１】
2006150229.tif 000003
【図２】
2006150229.tif 000004
【図３】
2006150229.tif 000005
【図４】
2006150229.tif 000006
【図５】
2006150229.tif 000007
【図６】
2006150229.tif 000008
【図７】
2006150229.tif 000009
【図８】
2006150229.tif 000010